(57)【特許請求の範囲】
【請求項１】
建物の出入口に設けられる引戸の竪枠に、障子の移動経路に臨んで固定される取付部材と、
取付部材にほぼ平行に、かつ間口方向に間隔をあけて連結される手摺部材と、
一端部が取付部材に連結され、かつ他端部が手摺部材に連結されるブラケットを有する連結手段とを含むことを特徴とする手摺装置。
【請求項２】
前記連結手段は、手摺部材を取付部材に対して、取付部材に近接した退避位置と、取付部材から離反しかつ前記障子の移動経路から見込み方向手前側に突出した突出位置とにわたって変位自在に連結することを特徴とする請求項１記載の手摺装置。
【発明の詳細な説明】
【０００１】
【発明の属する技術分野】
本発明は、引違い戸などの引戸が設けられる建物の出入口に好適に実施することができる手摺装置に関する。
【０００２】
【従来の技術】
近年、高齢者対策として、集合住宅において、ベランダと室内とを出入りする出入口には、この出入口を高齢者が容易かつ安全な通行を促すために、通行時の身体のバランスを補充するために手摺装置が設けられる。この手摺装置は、棒状の手摺部材と、手摺部材を室内側壁面および室外側壁面に対して見込み方向手前側に間隔をあけて保持するブラケットとを有する。
【０００３】
このような手摺装置は、前記室内側壁面の間口方向両側にそれぞれ設けられるとともに、室外側壁面の間口方向両側にそれぞれ設けられる。前記引戸は、引違い戸である場合、建物の壁に形成される出入口を開口の内周部に固定される建具枠と、この建具枠によって保持されるたとえば２枚の障子とによって構成される。建具枠は、一対の竪枠と、各竪枠の上端部を相互に連結する上枠と、各竪枠の他端部を相互に連結する下枠とを有する。これらの各竪枠、上枠および下枠は、アルミニウム合金の押出し型材から成り、いわゆるサッシ枠として実現される。
【０００４】
各障子は、基本的には、一対の竪框と、各竪框の上端部を相互に連結する上框と、各竪框の他端部相互に連結する下框と、この下框に設けられる戸車と、各竪框の上端部および下端部間のほぼ中間部を連結し、上框および下框とに平行に設けられる中桟と、各竪框と上框および中桟によって保持される上ガラスと、各竪框、中桟および下框によって保持される下ガラスなどを含んで構成される。
【０００５】
これらの障子は、下枠に一体に形成されるレールに戸車が支持された状態で、間口方向に移動自在に支持され、室内から室外への通行時、および室外から室内への通行時に右または左に配置されるいずれか一方の障子を選択的に移動させて開口を形成し、その開口を通行した後、前記移動させた障子を一方の竪枠に当接するまで移動させて前記開口を閉鎖する。
【０００６】
通行者が高齢者または身体障害者である場合、上記のような通行時に身体を安定させるために、障子を開放し、または閉鎖しようとする一方の障子に近接して設けられる手摺装置の手摺部材を把持するまで、進行方向に向かって左右両側に設けられるとともに、室内側壁面および室外側壁面の両方に設けられ、室内から室外へ出るとき、および室外から室内へ戻るときのいずれの場合であっても、さらに進行方向に向かって右または左のいずれの障子を操作する場合であっても、内外合計４箇所に設けられる手摺装置のいずれか１つの手摺部材を把持して、身体の安定させた状態で障子を開閉操作し、円滑に通行することができるように構成されている。
【０００７】
【発明が解決しようとする課題】
このような従来の技術では、上記の各手摺装置は室内側壁面および室外側壁面の左右両側にそれぞれ設けられるので、通行者が障子を開いて前記開口を通行するに際して、室内から室外へ移動するときには、室内側壁面に設けられる各手摺部材のうち、開放しようとする一方の障子が配置されている側の一方の手摺部材を把持した状態で、前記一方の障子を開き、室外側へ移動する。このとき、通行者の身体が室内から室外へ移動するにつれて、前記一方の手摺部材を把持している側の腕が拘束されるため、通行時の姿勢は、室内側に向いた、いわば斜めの不自然な姿勢で室外に向かって移動しなければならない。また、通行者の身体が建具枠を越えて室外側に配置された状態では、通行者は前記室内側の一方の手摺部材を把持したままでいることが困難となり、室外側壁面に設けられる一方の手摺部材に持ち直す必要がある。このような室内側壁面に設けられる一方の手摺部材と室外側壁面に設けられる一方の手摺部材との持ち直しは、高齢者および身体障害者にとって不安感を生じさせるだけでなく、身体が不安定となるため、転倒およびふらつきなどに対する危険度が増大してしまうという問題がある。
【０００８】
さらに、室内側壁面および室外側壁面の左右両側に手摺装置がそれぞれ設けられることによって、障子を開放したときに発生する開口は全開状態として充分に開放することが可能であるが、通過途中でふらつきなどして姿勢を安定させるために身近に配置されている手摺部材を把持しようとしても、各手摺部材は通行者に臨んで設けられていないため、とっさに手摺部材を見つけて把持することができず、健常者に比べて円滑な通行に支障を生じやすい高齢者および身体障害者にとって、通行時に充分な補助を得ることができないという問題がある。
【０００９】
本発明の目的は、通行時に容易にかつ確実に把持することができ、円滑な通行を支援することができるようにした手摺装置を提供することである。
【００１０】
【課題を解決するための手段】
請求項１記載の本発明は、建物の出入口に設けられる引戸の竪枠に、障子の移動経路に臨んで固定される取付部材と、
取付部材にほぼ平行に、かつ間口方向に間隔をあけて連結される手摺部材と、
一端部が取付部材に連結され、かつ他端部が手摺部材に連結されるブラケットを有する連結手段とを含むことを特徴とする手摺装置である。
【００１１】
本発明に従えば、建物の出入口に設けられる引戸の竪枠に取付部材が固定され、この取付部材には手摺部材が連結手段によって連結される。前記連結手段は、一端部が取付部材に連結され、他端部が手摺部材に連結されるブラケットを有し、ブラケットの一端部が取付部材に連結される。手摺部材を連結手段の少なくとも前記ブラケットとともに取付部材に対して着脱可能に取付けられている場合には、手摺部材を使用しないときには、取付部材だけを竪枠に固定した状態にし、障子を開いた状態において発生する開口内に突出する手摺部材およびブラケットを取外して所定の保管場所に保管しておき、必要が生じたときに取付部材に取付けることができ、使用上の利便性が向上される。
【００１２】
また、手摺部材は、竪枠に固定される取付部材にほぼ平行に設けられるので、障子の開放時に形成される開口内に前記手摺部材が大きく突出するようなことはなく、通行に支障を生じない。またこの手摺部材は、取付部材に対して間口方向に間隔をあけて連結されるので、この間隔を通行者が通行するに際して手摺部材を容易にかつ確実に把持することができる程度に最適に設定することによって、手摺部材をしっかりと把持して身体を安定させることができる。しかも、引戸の竪枠に固定された取付部材に連結手段によって手摺部材が前記取付部材とほぼ平行に連結されるので、室内から室外への移動時および室外から室内への移動時の間においても姿勢を大きく変更せずに、常に取付部材を把持した状態を維持することができる。
【００１３】
したがって前記従来の技術に関連して述べたように、室内側に設けられる手摺部材と室外側に設けられる手摺部材とを持ち直す必要がなくなり、これによって室内から室外への通行時および室外から室内への通行時のいずれであっても、１つの手摺部材を把持したままで身体を通行方向後方へ大きく傾斜させずに、安定した状態で通行することが可能であり、手摺部材の持ち直しによる身体の不安定な状態が発生することを回避し、通行者、特に高齢者および身体障害者に対して円滑な通行を支援することが可能となる。
【００１４】
請求項２記載の本発明は、前記連結手段は、手摺部材を取付部材に対して、取付部材に近接した退避位置と、取付部材から離反しかつ前記障子の移動経路から見込み方向手前側に突出した突出位置とにわたって変位自在に連結することを特徴とする。
【００１５】
本発明に従えば、手摺部材は連結手段によって退避位置と突出位置とにわたって変位自在に連結されるので、通行するときには手摺部材を突出位置に配置して、手摺部材と取付部材との間に充分な間隔を確保し、容易に手を挿入できるようにして、手摺部材を確実に把持することが可能となる。また通行しないときおよび物品の移動などに対して充分な開口の間口幅が確保できないときには、前記手摺部材を退避位置に退避して、容易に物品の通過に充分な間口幅の開口を確保することができる。このように手摺部材を連結手段によって退避位置と突出位置とに選択的に変位させることができ、使用上の利便性が向上される。
【００１６】
【発明の実施の形態】
図１は本発明の実施の一形態の手摺装置１ａ，１ｂが設けられる引違い戸２を閉鎖状態において示す水平断面図であり、図２は手摺装置１ａ，１ｂが設けられる引違い戸２の開放状態における水平断面図である。室内３と室外４とを仕切る建物の壁５には、室内３および室外４間を連通する開口部６が形成され、この開口部６には、引戸である引違い戸２が建て込まれる。開口部６には、図１および図２の紙面に垂直な上下方向に間隔をあけて複数の台座７ａ，７ｂが設けられ、この台座７ａ，７ｂにはライナプレート８ａ，８ｂがタッピングねじ９ａ，９ｂ；１０ａ，１０ｂによって固定される。各台座７ａ，７ｂおよびライナプレート８ａ，８ｂは下地材を構成し、こうして下地材が設けられた開口部６に、引違い戸２の引戸枠１１が建て込まれる。この引戸枠１１には、２枚の障子１２ａ，１２ｂが図１の左右方向である間口方向に沿って矢符Ａ１，Ａ２方向に移動自在に保持される。このような各障子１２ａ，１２ｂと引戸枠１１とを含んで、前記引違い戸２を構成する。
【００１７】
図３は引違い戸２を室内３側から見た正面図である。前記引違い戸２の引戸枠１１は、一対の竪枠１３ａ，１３ｂと、各竪枠１３ａ，１３ｂの各上端部を相互に連結する上枠１４と、各竪枠１３ａ，１３ｂの各下端部を相互に連結する下枠１５とを有する。これらの竪枠１３ａ，１３ｂ、上枠１４および下枠１５は、アルミニウム合金の押出し形材から成る。
【００１８】
室外４側に配置される一方の障子１２ａは、一対の竪框１６ａ，１６ｂと、各竪框１６ａ，１６ｂの各上端部を相互に連結する上框１７と、各竪框１６ａ，１６ｂの各他端部を相互に連結する下框１８とを有する。また室内３側に配置される他方の障子１２ｂは、一対の竪框１９ａ，１９ｂと、各竪框１９ａ，１９ｂの各上端部を相互に連結する上框２０と、各竪框１９ａ，１９ｂの各他端部を相互に連結する下框１８とを有する。
【００１９】
前記室外４側に配置される一方の障子１２ａにおいて、各竪框１６ａ，１６ｂの図３の上下方向である長手方向両端部間の各中間部には、上框１７および下框１８に平行に中框２２の両端部が連結され、この中框２２と上框１７との間には上ガラス２３が嵌まり込んで保持され、中框２２と下框１８との間には下ガラス２４が嵌まり込んで保持される。また、室外４側に配置される他方の障子１２ｂにおいて、各竪框１９ａ，１９ｂの図３の上下方向である長手方向両端部間の各中間部には、上框２０および下框２１に平行な中框２５の両端部が連結され、この中框２５と上框２０との間には上ガラス２６が嵌まり込んで保持され、中框２５と下框２１との間には下ガラス２７が嵌まり込んで支持される。
【００２０】
このような各障子１２ａ，１２ｂは、下框１８，２１に図示しない戸車が設けられており、これらの戸車は図１および図２に示すように、前記下枠１５に長手方向に沿って相互に平行に形成されるレール２８，２９上に乗載され、各障子１２ａ，１２ｂを各レール２８，２９に沿って開閉方向Ａ１，Ａ２に個別に移動させて、通行者が通過することができる出入口を円滑に開閉することができるように構成されている。前記室外４は、本実施の形態では、たとえばベランダまたはテラスであって、屋外空間に開放されている建物構造である。
【００２１】
上記のように構成される引違い戸２は、建物の壁５の開口部６に既に建て込まれた既設の扉であってもよく、新たに装備される新設の扉であってもよく、さらに前記既設扉を撤去して新たな引戸枠１１と障子１２ａ，１２ｂとを建て込んだ改装扉であってもよい。このような引違い戸２の各竪枠１３ａ，１３ｂには、本実施の形態の手摺装置１ａ，１ｂがそれぞれ設けられる。
【００２２】
図４は室内３側に設けられる手摺装置１ａの一部の分解斜視図である。一方の竪枠１３ａには、室内３に臨んで手摺装置１ａが設けられる。この手摺装置１ａは、室内３側に配置される一方の障子１２ａの移動経路に臨んで固定される取付部材３３と、取付部材３３にほぼ平行にかつ移動方向Ａ１，Ａ２に間隔ΔＬ１（図１〜図３を参照）をあけ、かつ室外４側に配置される障子１２ａに対して図１の上下方向である見込み方向Ｂ１，Ｂ２に間隔ΔＬ２をあけて着脱可能に連結される手摺部材３４と、一端部３５が取付部材３３に連結され、かつ他端部３６が手摺部材３４に連結される金属製ブラケット３７を有する連結手段３８と、取付部材３３の溝開口部ｍ１に着脱可能に装着されるアルミ押出形材製の取付部材用目地カバー材５０と、手摺部材３４の溝開口部ｍ２に着脱可能に装着されるアルミ押出形材製の手摺部材用目地カバー材５１とを含む。
【００２３】
連結手段３８は、上記のブラケット３７と、このブラケット３７の一端部３５および他端部３６を取付部材３３および手摺部材３４に着脱可能にそれぞれ固定する各一対のビス４０，４１と、手摺部材３４にブラケット３７の他端部３６を固定する前記一対のビス４１が螺着され、矩形の金属板から成るねじ持ち片４２とを含む。
【００２４】
前記取付部材３３は、長さがたとえば６００ｍｍのアルミニウム合金の押し出し形材から成る。この取付部材３３の長手方向両端部付近には、前記一対のビス４０の軸部がそれぞれ螺合する各一対のねじ孔４３が形成される。またねじ持ち片４２には、他端部３６を手摺部材３４に固定する各ビス４１の軸部が螺着される一対のねじ孔４４が形成される。
【００２５】
取付部材３３は、その断面において、略Ｃ字状の基部５３と、基部５３内に一体的にかつ平行に形成される略Ｃ字状の案内レール部５４とを有する。また手摺部材３４は、その断面において、略Ｃ字状の基部６０と、基部６０内に一体的にかつ平行に形成される略Ｃ字状の案内レール部６１とを有する。前記ブラケット３７の一端部３５には、取付部材３３の案内レール部５４に挿入される第１フランジ５５と、第１フランジ５５と間隔をあけて平行に形成される第２フランジ５６と、第２フランジ５６と間隔をあけて平行に形成される第３フランジ５７とが設けられる。またブラケット３７の他端部３６には、手摺部材３４の案内レール部６１に挿入される第１フランジ６２と、第１フランジ６２と間隔をあけて平行に形成される第２フランジ６３とが設けられる。
【００２６】
一端部３５の第３フランジ５７と他端部３６の第２フランジ６３とは、大略的にＳ字状に緩やかに湾曲したウエブ６５を介して連なる。一端部３５の第２フランジ５６の長手方向両端部付近には、前記ビス４０の軸部が挿通する軸孔６６が形成される。他端部３６の第１フランジ６２の長手方向両端部付近には、前記ビス４１の軸部が挿通する軸孔６７が形成される。
【００２７】
前記取付部材３３の長手方向両端部には、一端部３５の第１フランジ５５を案内レール部５４に装着するために、前記第１フランジ５５よりも僅かに大きく切欠かれた切欠き６８が形成される。このような切欠き６８が形成されることによって、容易に第１フランジ５５を案内レール部５４内に挿入して、ねじ孔４３が形成される位置まで移動させて位置決めすることができ、取付作業の容易化が図られている。
【００２８】
このように構成される連結手段３８は、手摺部材３４の長手方向両端部寄りに一対設けられ、同様な構成を有する。手摺部材３４を使用しない場合には、一端部３５側の各ビス４０を緩めて、手摺部材３４をブラケット３７とともに取付部材３３から取り外し、再び手摺が必要になったときに、各ビス４０によってブラケット３７を取付部材３４に固定して、手摺部材３４を取付部材３３に取付けることができる。
【００２９】
図５は図３の切断面線Ｖ−Ｖから見た室外側手摺装置１ｂの拡大断面図である。室外４側に配置される他方の手摺装置１ｂは、室外４側の障子１２ａの移動経路に臨んで他方の竪枠１３ｂに設けられる。この他方の手摺装置１ｂは、上述の一方の手摺装置１ａと実質的に同様に構成され、対応する部分には同一の参照符を付す。注目すべきは、上記一方の手摺装置１ａのウエブ６５が大略的にＳ字状に湾曲するのに対し、他方の手摺装置１ｂのウエブ６５は、室内３から室外４へ移動するに際して、通常、室内３側の障子１２ｂが開かれ、手摺部材３４は開口内に突出しているため、通常設けられる網戸（図示せず）の開閉に支障が生じないように平坦状とされる。
【００３０】
このような他方の手摺装置１ｂについても、上記の一方の手摺装置１ａと同様に、通行時に身体を不自然な姿勢に捩じることなしに、手摺部材３４を把持したままで通過することができる。なお、室外４から室内３へ通行するときには、室内３側の障子１２ｂと手摺部材３４との間の隙間が、前記一方の手摺装置１ａの手摺部材３４に比べて狭くなるが、ベランダなどである室外４に出た状態で各障子１２ａ，１２ｂを閉じてしまうことはほとんどないため、他方の手摺部材３４を使用するうえで支障が生じることはない。
【００３１】
以上のように構成される各手摺装置１ａ，１ｂにおいて、ブラケット３７の一端部３５が取付部材３３に着脱可能に連結されることによって、手摺部材３４を連結手段３８の少なくとも前記ブラケット３７とともに取付部材３３に対して、前記手摺部材３４を使用しないときには、取付部材３３だけを竪枠１３ａ，１３ｂに固定した状態にし、障子１２ａ，１２ｂを開いた状態において発生する開口内に突出する手摺部材３４およびブラケット３７を取外して、納戸などの所定の保管場所に保管しておき、必要が生じたときに取付部材３３に取付けることができ、使用上の利便性が向上される。
【００３２】
また、手摺部材３４は、竪枠１３ａ，１３ｂに固定される取付部材３３にほぼ平行に設けられるので、障子の開放時に形成される開口内に前記手摺部材３４が大きく突出するようなことはなく、通行に支障を生じない。またこの手摺部材３４は、取付部材３３に対して間口方向に間隔をあけて連結されるので、この間隔を通行者が通行するに際して手摺部材３４を容易にかつ確実に把持することができる程度に最適に設定することによって、手摺部材３４をしっかりと把持して身体を安定させることができる。しかも、引戸の竪枠１３ａ，１３ｂに固定された取付部材３３に連結手段によって手摺部材３４が前記取付部材３３とほぼ平行に連結されるので、室内３から室外４への移動時および室外４から室内３への移動時の間においても姿勢を大きく変更せずに、常に取付部材３３を把持した状態を維持することができる。
【００３３】
したがって前記従来の技術に関連して述べたように、室内３側に設けられる手摺部材と室外４側に設けられる手摺部材とを持ち直す必要がなくなり、これによって室内３から室外４への通行時および室外４から室内３への通行時のいずれであっても、１つの手摺部材３４を把持したままで身体を通行方向後方へ大きく傾斜させずに、安定した状態で通行することが可能であり、手摺部材３４の持ち直しによる身体の不安定な状態が発生することを回避し、通行者、特に高齢者および身体障害者に対して円滑な通行を支援することが可能となる。
【００３４】
図６は本発明の実施の他の形態の手摺装置１０１を示す一部の分解斜視図である。なお、前述の実施の形態と対応する部分には、同一の参照符を付す。本実施の形態の手摺装置１０１は、取付部材３３と、手摺部材３４と、取付部材用目地カバー材５０と、手摺部材用目地カバー材５１と、前記取付部材３３および手摺部材３４を連結する連結手段１０２とを含み、前述の実施の形態の一方の手摺装置１ａに代えて、一方に竪枠１３ａに室内３側の障子１２ｂの移動経路に臨んで設けられる。
【００３５】
前記連結手段１０２は、大略的にＳ字状に緩やかに湾曲した金属製ブラケット１０３と、ブラケット１０３の両端部１０４，１０５にビス１０６，１０７によってそれぞれ着脱可能に固定される取付補助部材１０８，１０９と、各取付補助部材１０８，１０９に挿通されたビス１１０，１１１が螺着される金属板から成るねじ持ち片１１２，１１３とを含む。
【００３６】
各ねじ持ち片１１２，１１３には、その長手方向両端部に各ビス１１０，１１１の軸部が螺合するねじ孔１１５，１１６が形成される。ブラケット１０３の両端部１０４，１０５には、ビス１０６，１０７によって取付補助部材１０８，１０９がそれぞれ固定され、各取付補助部材１０８，１０９には、ビス１１０，１１１によって各ねじ持ち片１１２，１１３が緩やかな状態で取り付けられ、この状態で、各取付補助部材１０８，１０９は、取付部材３３の溝開口部ｍ１と案内レール部５４との間の空間１２０および手摺部材３４の溝開口部ｍ２と案内レール部６１との間の空間１２１へ挿入されるとともに、各ねじ持ち片１１２，１１３は、取付部材３３の案内レール部５４および手摺部材３４の案内レール部６１にそれぞれ挿入され、高さ方向に位置決めしてビス１１０，１１１を締め付けて固定する。
【００３７】
このような連結手段１０２は、取付部材３３および手摺部材３４の長手方向両端部付近にそれぞれ設けられ、手摺部材３４を取付部材３３に大きな強度で安定して連結され、上記の実施の形態の手摺装置１ａと同様な効果を達成することができる。また、手摺部材３４を使用しないときには、取付部材３３側のビス１１０を緩めてブラケット１０３を手摺部材３４とともに取付部材３３から容易に取り外すことができる。
【００３８】
図７は本発明の実施のさらに他の形態の手摺装置２０１を示す一部の分解斜視図である。なお、図１〜図６に示す実施の各形態と対応する部分には、同一の参照符を付す。本実施の形態の手摺装置２０１は、各竪枠１３ａ、１３ｂに、各障子１２ａ，１２ｂの移動経路に臨んで固定される略Ｕ字状断面を有する取付部材２０２と、取付部材２０２にほぼ平行に、かつ間口方向Ａ１，Ａ２に間隔をあけて連結される略直円筒状の手摺部材２０３と、一端部２０４が取付部材２０２に着脱可能に連結され、かつ他端部２０５が手摺部材２０３に、略Ｕ字状断面を有する補強部材２０８を介して連結されるブラケット２０６を有する連結手段２０７とを含む。
【００３９】
前記ブラケット２０６は、取付部材２０２および補強部材２０８に挿脱自在に嵌り込むことができる厚みＴを有する金属製の短尺材から成り、両端部２０４，２０５には各一対のピン孔２１０，２１１；２１２，２１３が形成される。取付部材２０２は、複数のビス２１６によって一方の竪枠１３ａに固定され、前記間口方向Ａ１，Ａ２に垂直にピン２１７が装着される。このピン２１７は、ブラケット２０６の一端部２０４の上方に配置される一方のピン孔２１０を挿通し、取付部材２０２にブラケット２０６がピン２１７の軸線まわりに角変位自在に連結される。
【００４０】
手摺部材２０３には、複数のビス２１９によって補強部材２０８が固定される。補強部材２０８は、前記取付部材２０２と同様なアルミニウム合金の押出形材から成り、突出位置用のねじ孔２２０とピン孔２２１と退避位置用のねじ孔２２５とが前記間口方向Ａ１，Ａ２に垂直に形成される。ねじ孔２２０には、ロックボルト２２２が螺着される。またピン孔２２１にはピン２２３が装着される。
【００４１】
ブラケット２０６の他端部２０５の下方のピン孔２１３には、前記ピン孔２２１に装着されたピン２２３が挿通され、ブラケット２０６が補強部材２０８、したがって手摺部材２０３にピン２２３の軸線まわりに角変位自在に連結される。
【００４２】
図８は図７に示す手摺装置２０１の動作を説明するための図であり、図８（１）は手摺部材２０３を取付部材２０２に近接する方向に変位させた状態を示し、図８（２）は手摺部材２０３を取付部材２０２から離反する方向に変位させた状態を示す。上記のように構成される手摺装置２０１において、手摺部材２０３を使用するときには、手摺部材２０３を、図８（１）に示す退避位置から取付部材２０２に対して離反する方向Ｃ１に角変位させることによって、図８（２）に示すように、手摺部材２０３を取付部材２０２からから離反しかつ各障子１２ａ，１２ｂの移動経路から見込み方向手前側に突出した突出位置へ角変位させることができる。
【００４３】
手摺部材２０３が図８（１）に示す退避位置に配置された状態では、ブラケット２０６が他端部２０５を上方にして起立しているため、前記ロックボルト２２２を退避位置用のねじ孔２２５に螺着して、ブラケット２０６の一端部２０４の他方のピン孔２１１に挿通することによって、ブラケット２０６の下方への角変位を阻止し、手摺部材２０３が不用意に突出位置へ変位してしまうことを防止することができる。また、手摺部材２０３が図８（２）に示す突出位置に配置された状態では、ブラケット２０６がほぼ水平になっているため、前記ロックボルト２２２を突出位置用のねじ孔２２０に螺着して、ブラケット２０６の他端部２０５の一方のピン孔２１２に挿通することによって、ブラケット２０６の上方への角変位を阻止し、手摺部材２０３が不用意に退避位置へ変位してしまうことを防止することができる。
【００４４】
図９は手摺装置２０１が設けられた引違い戸２０２を室内３側から見た正面図である。手摺部材２０３は、上記のように構成される連結手段２０７によって、退避位置と突出位置とにわたって変位自在に連結されるので、通行するときには手摺部材２０３を突出位置に配置して、手摺部材２０３と取付部材２０２との間に充分な間隔を確保し、容易に手または腕を挿入できるようにして、手摺部材２０３を確実に把持することが可能となる。また通行しないときおよび物品の移動などに対して充分な開口の間口幅が確保できないときには、前記手摺部材２０３を退避位置に退避して、容易に物品の通過に充分な間口幅の開口を確保することができる。このように手摺部材２０３を上記の連結手段２０７によって退避位置と突出位置とに選択的に変位させることができ、使用上の利便性を向上することができる。
【００４５】
上述の図１〜図９に示す実施の各形態では、室内３と室外４とを仕切る引違い戸２に手摺装置１ａ，１ｂ；１０１；２０１が設けられたが、本発明の実施の他の形態では、室内３を脱衣室とし、室外４を浴室として、脱衣室および浴室間を仕切る引違い戸に上記の手摺装置１ａ，１ｂ；１０１；２０１が設けられてもよい。
【００４６】
また本発明は、上記の引違い戸だけでなく、３枚以上の障子を備える連動引戸などにも好適に実施することができる。
【００４７】
さらに図１〜図９に示す実施の各形態では、一方の竪枠１３ａに手摺装置１ａ，１０１，２０１を設け、他方の竪枠１３ｂに手摺装置１ｂを設けるように構成されたが、網戸を使用しない場合は、各竪枠１３ａ，１３ｂの両方に、手摺装置１ａ、１０１，２０１をそれぞれ設けるようにしてもよい。
【００４８】
【発明の効果】
請求項１記載の本発明によれば、手摺部材を使用しないときには、取付部材だけを竪枠に固定した状態にし、障子を開いた状態において発生する開口内に突出する手摺部材およびブラケットを取外して所定の保管場所に保管しておき、必要が生じたときに取付部材に取付けることができるので、手摺装置の使用上の利便性を向上することができる。また、手摺部材が取付部材にほぼ平行に設けられるので、障子の開放時に形成される開口内に前記手摺部材が大きく突出するようなことはなく、通行に支障を生じない。またこの手摺部材は、取付部材に対して間口方向に間隔をあけて連結されるので、この間隔を通行者が通行するに際して手摺部材を容易にかつ確実に把持することができる程度に最適に設定することによって、手摺部材をしっかりと把持して身体を安定させることができる。しかも、取付部材に連結手段によって手摺部材が前記取付部材とほぼ平行に連結されるので、室内から室外への移動時および室外から室内への移動時の間においても姿勢を大きく変更せずに、常に取付部材を把持した状態を維持することができ、室内から室外への通行時および室外から室内への通行時のいずれであっても、１つの手摺部材を把持したままで身体を通行方向後方へ大きく傾斜させずに、安定した状態で通行することが可能であり、手摺部材の持ち直しによる身体の不安定な状態が発生することを回避し、通行者、特に高齢者および身体障害者に対して円滑な通行を支援することができる。
【００４９】
請求項２記載の本発明によれば、手摺部材は連結手段によって退避位置と突出位置とにわたって変位自在に連結されるので、通行するときには手摺部材を突出位置に配置して、手摺部材と取付部材との間に充分な間隔を確保し、容易に手または腕を挿入できるようにして、手摺部材を確実に把持することが可能となる。また通行しないときおよび物品の移動などに対して充分な開口の間口幅が確保できないときには、前記手摺部材を退避位置に退避して、容易に物品の通過に充分な間口幅の開口を確保することができる。このように手摺部材を連結手段によって退避位置と突出位置とに選択的に変位させることができ、使用上の利便性が向上される。
【図面の簡単な説明】
【図１】本発明の実施の一形態の手摺装置１ａ，１ｂが設けられる引違い戸２を閉鎖状態において示す水平断面図である。
【図２】手摺装置１ａ，１ｂが設けられる引違い戸２の開放状態における水平断面図である。
【図３】引違い戸２を室内３側から見た正面図である。
【図４】一方の竪枠１３ａに設けられる室内３側手摺装置１ａの一部の分解斜視図である。
【図５】図３の切断面線Ｖ−Ｖから見た手摺装置１ａの断面図である。
【図６】本発明の実施の他の形態の手摺装置１０１を示す一部の分解斜視図である。
【図７】本発明の実施のさらに他の形態の手摺装置２０１を示す一部の分解斜視図である。
【図８】図７に示す手摺装置２０１の動作を説明するための図であり、図８（１）は手摺部材２０３を取付部材２０２に近接する方向に変位させた状態を示し、図８（２）は手摺部材２０３を取付部材２０２から離反する方向に変位させた状態を示す。
【図９】手摺装置２０１が設けられた引違い戸２０２を室内３側から見た正面図である。
【符号の説明】
１ａ，１ｂ；１０１；２０１  手摺装置
２  引違い戸
３  室内
４  室外
５  壁
６  開口部
７ａ，７ｂ  台座
８ａ，８ｂ  ライナプレート
９ａ，９ｂ；１０ａ，１０ｂ  タッピングねじ
１１  引戸枠
１２ａ，１２ｂ  障子
１３ａ，１３ｂ  竪枠
１４  上枠
１５  下枠
１６ａ，１６ｂ  竪框
１７  上框
１８  下框
１９ａ，１９ｂ  竪框
２０  上框
２２  中框
２３，２６  上ガラス
２４，２７  下ガラス
２８，２９  レール
３３  取付部材
３４  手摺部材
３５  一端部
３６  他端部
３７  ブラケット
３８  連結手段
４０，４１  ビス
４２  ねじ持ち片
４３  ビス
４４  ねじ孔
５０  取付部材用目地カバー材
５１  手摺部材用目地カバー材
５３  基部
５４，６１  案内レール部
５５，６２  第１フランジ
５６，６３  第２フランジ
５７  第３フランジ
６５  ウエブ
６６，６７  軸孔
６８  切欠き
【図１】
0003924170.tif 000002
【図２】
0003924170.tif 000003
【図３】
0003924170.tif 000004
【図４】
0003924170.tif 000005
【図５】
0003924170.tif 000006
【図６】
0003924170.tif 000007
【図７】
0003924170.tif 000008
【図８】
0003924170.tif 000009
【図９】
0003924170.tif 000010